(57)【特許請求の範囲】
【請求項１】
熱交換器、室内ファン、吹出口に設けられた上下フラップ等を有する室内ユニットとを備えた天井カセット形空気調和装置の運転制御装置において、
前記室内ユニットが据付られる被空調空間の天井高さである据付高さを設定する高さ設定スイッチと、
設定された天井高さに対応して、標準天井高さに据え付けられた場合の運転を通常運転とし、前記上下フラップの通常運転に対する上下フラップ位置補正値を演算し、
前記室内ファンの前記通常運転に対する室内送風ファン速補正値を演算するマイクロコンピュータとを備えたことを特徴とする天井カセット形空気調和装置の運転制御装置。
【請求項２】
圧縮機等を有する室外ユニットを備え、前記マイクロコンピュータは前記圧縮機の前記通常運転に対する圧縮機運転周波数補正値を演算することを特徴とする請求項１記載の天井カセット形空気調和装置の運転制御装置。
【請求項３】
前記室内ユニットの据付高さが通常天井高さよりも高い場合、前記マイクロコンピュータは暖房運転時に、前記室内ファンを据付高さが通常天井高さの場合に比べ風量が増加するように設定することを特徴とする請求項１記載の天井カセット形空気調和装置の運転制御装置。
【請求項４】
前記室内ユニットの据付高さが通常天井高さよりも高い場合、前記マイクロコンピュータは暖房運転時に、前記上下フラップを据付高さが通常天井高さの場合に比べ下向きに設定することを特徴とする請求項１記載の天井カセット形空気調和装置の運転制御装置。
【請求項５】
熱交換器、室内ファン、吹出口に設けられた上下フラップ等を有する室内ユニットとを備えた天井カセット形空気調和装置の運転制御装置において、
被空調空間における前記室内ユニットの水平方向の据付位置を設定する位置設定スイッチと、
設定された水平方向の据付位置に対応して、通常設置位置に据付られた場合の運転を通常運転とし、前記上下フラップの通常運転に対する上下フラップ位置補正値を演算し、
前記室内ファンの前記通常運転に対する室内送風ファン速補正値を演算するマイクロコンピュータとを備えたことを特徴とする天井カセット形空気調和装置の運転制御装置。
【発明の詳細な説明】
【０００１】
【発明の属する技術分野】
この発明は、天井カセット形空気調和装置の運転制御装置に係り、特に風向制御方法と風速制御方法と圧縮機運転制御方法に関するものである。
【０００２】
【従来の技術】
図６は、例えば特開平４−３２６４８号公報に開示された従来の天井カセット形空気調和装置を示す断面図である。図において、１ａ、１ｂはケーシング、２は吸込口、３ａ、３ｂは熱交換器、４ａ、４ｂは室内送風ファン、５ａ、５ｂは吹出口、７は室内ユニット、２８ａ、２８ｂは輻射温度センサ、２９ａ、２９ｂは距離センサである。
【０００３】
次に、動作について説明する。吸込口２より吸い込まれた室内からの空気は室内送風ファン４ａ、４ｂによって熱交換器３ａ、３ｂに送られ、熱交換器３ａ、３ｂで冷媒と熱交換された後吹出口５ａ、５ｂより吹出される。そして、距離センサ２９ａにより床面までの距離を検出し、距離が近い場合はファン４ａの回転数を低めに設定し、距離が遠い場合は高めに設定する。同時に距離センサ２９ｂにより床面までの距離を検出し、距離が近い場合はファン４ｂの回転数を低めに設定し、距離が遠い場合は高めに設定する。
【０００４】
【発明が解決しようとする課題】
従来の天井カセット形空気調和装置は以上のように構成されており、被空調空間の床面高さが同一被空調空間で異なる場合に、被空調空間に存在する人々へのドラフト感の抑制と暖房時に足元まで温風を到達させることが可能であるが、被空調空間の天井高さが高くなった場合を考慮しておらず、被空調空間の天井高さが標準天井高さより高くなった場合には、温風の舞い上がりが生じて快適性が低下するという問題点があった。
【０００５】
また、被空調空間における天井カセット形空気調和装置の水平方向での据付位置、あるいは被空調空間の形状を考慮していない為、空気調和装置が被空調空間の最適据付位置から外れた場所に据付けられた場合、風を最適位置に到達させることができないという問題点があった。
【０００６】
この発明は、かかる問題点を解消するためになされたもので、被空調空間の天井高さが標準高さよりも高くなった場合でも、暖房時の温風の舞い上がりを抑制し、また被空調空間の水平方向に対して最適据付場所から外れた場所に据え付けられた場合でも、暖房時に温風を最適位置に到達させることができる天井カセット形空気調和装置を提供することを目的とする。
【０００７】
【課題を解決するための手段】
この発明に係る天井カセット形空気調和装置の運転制御装置は、圧縮機等を有する室外ユニットと、熱交換器、室内送風機、吹出口に設けられた風向偏向手段等を有する室内ユニットと、この室内ユニットの据付位置に応じて設定される位置設定手段とを備えた天井カセット形空気調和装置において、室内ユニットの天井高さに相当する据付高さに応じて位置設定手段を設定し、この位置設定手段の設定に基づいて風向偏向手段を制御する制御手段を備えたものである。
【０００８】
また、室内ユニットの据付高さが通常天井高さよりも高い場合、制御手段は暖房運転時に、風向偏向手段を据付高さが通常天井高さの場合に比べ下向きに設定するものである。
【０００９】
また、制御手段は、位置設定手段の設定に基づいて室内送風機の風向に加えて風量も制御するものである。
【００１０】
また、室内ユニットの据付高さが通常天井高さよりも高い場合、制御手段は暖房運転時に、室内送風機を据付高さが通常天井高さの場合に比べ風向を下向きに、風量を増加するように設定するものである。
【００１１】
また、制御手段を、室内空気温度を検出する温度検出手段と、天井カセット形空気調和装置の設定温度を設定する温度設定手段と、温度検出手段による検出温度と温度設定手段による設定温度とを比較する比較手段と、この比較手段と前記位置設定手段により風向を決定する風向決定手段と、この風向決定手段の出力により前記風向偏向手段の位置を制御する風向制御手段と、前記比較手段と前記位置設定手段により風量を決定する風量決定手段と、この風量決定手段から前記室内送風機の風量を制御する風量制御手段とで構成したものである。
【００１２】
また、圧縮機等を有する室外ユニットと、熱交換器、室内送風機、吹出口に設けられた風向偏向手段等を有する室内ユニットと、この室内ユニットの据付位置に応じて設定される位置設定手段とを備えた天井カセット形空気調和装置において、室内ユニットの天井高さに相当する据付高さに応じて位置設定手段を設定し、この位置設定手段の設定に基づいて圧縮機の運転周波数範囲を制御する制御手段を備えたものである。
【００１３】
また、室内ユニットの据付高さが通常天井高さよりも高い場合、制御手段は暖房運転時に、圧縮機を据付高さが通常天井高さの場合に比べ運転周波数範囲が高くなるように設定するものである。
【００１４】
また、制御手段を、室内空気温度を検出する温度検出手段と、天井カセット形空気調和装置の設定温度を設定する温度設定手段と、温度検出手段による検出温度と温度設定手段による設定温度とを比較する比較手段と、この比較手段と位置設定手段とにより圧縮機の運転周波数を決定する圧縮機運転周波数決定手段と、この圧縮機運転周波数決定手段の出力から圧縮機の運転周波数を制御する圧縮機運転周波数制御手段とで構成したものである。
【００１５】
また、位置設定手段は、室内ユニットの天井高さに相当する複数段階の据付高さに応じて設定することが可能なものである。
【００１６】
また、圧縮機等を有する室外ユニットと、熱交換器、室内送風機、吹出口に設けられた風向偏向手段等を有する室内ユニットと、この室内ユニットの据付位置に応じて設定される位置設定手段とを備えた天井カセット形空気調和装置において、室内ユニットの天井における水平方向の据付位置もしくは部屋形状に応じて位置設定手段を設定し、この位置設定手段の設定に基づいて風向偏向手段を制御する制御手段を備えたものである。
【００１７】
また、風向偏向手段を上下フラップで構成したものである。
【００１８】
また、制御手段を、室内空気温度を検出する温度検出手段と、天井カセット形空気調和装置の設定温度を設定する温度設定手段と、温度検出手段による検出温度と温度設定手段による設定温度とを比較する比較手段と、この比較手段と前記位置設定手段により風向を決定する風向決定手段と、この風向決定手段の出力により前記風向偏向手段の位置を制御する風向制御手段とで構成したものである。
【００１９】
また、室内ユニットが据付られる部屋形状が吹き出し方向に対して長い場合、制御手段は暖房運転時に、風向偏向手段を通常よりも上向きに設定するものである。
【００２０】
また、圧縮機等を有する室外ユニットと、熱交換器、室内送風機、吹出口に設けられた風向偏向手段等を有する室内ユニットと、この室内ユニットの据付位置に応じて設定される位置設定手段とを備えた天井カセット形空気調和装置において、室内ユニットの天井における水平方向の据付位置もしくは部屋形状に応じて位置設定手段を設定し、この位置設定手段の設定に基づいて室内送風機の風量を制御する制御手段を備えたものである。
【００２１】
また、室内送風機の回転速度により風量を制御するものである。
【００２２】
また、制御手段を、室内空気温度を検出する温度検出手段と、天井カセット形空気調和装置の設定温度を設定する温度設定手段と、温度検出手段による検出温度と温度設定手段による設定温度とを比較する比較手段と、この比較手段と前記位置設定手段により風量を決定する風量決定手段と、この風量決定手段から前記室内送風機の風量を制御する風量制御手段とで構成したものである。
【００２３】
また、室内ユニットが据付られる部屋形状が吹き出し方向に対して長い場合、制御手段は暖房運転時に、室内送風機の風量を増加するように設定するものである。
【００２４】
また、位置設定手段は、室内ユニットの天井における水平方向の複数段階の据付位置もしくは複数段階の部屋形状に応じて設定することが可能なものである。
【００２５】
【発明の実施の形態】
以下、この発明の実施の形態を図面を参照して説明する。
実施の形態１．
図１乃至図３は実施の形態１を示す図で、図１は天井カセット形空気調和装置の運転制御装置の構成を示すブロック図、図２は制御ブロック図、図３は補正値を示す図である。
【００２６】
図１において、７はケーシング１、室内空気の吸込口２、空気と冷媒との熱交換を行う熱交換器３、室内送風ファン４、調和された空気を吹き出す吹出口５、風向を変更する風向偏向手段の一例の上下フラップ６を有する室内ユニットである。
【００２７】
８は室内ユニット７の冷媒回路等と共に冷凍サイクルを形成する圧縮機、９は室内空気温度を検出する温度検出手段、１０は天井カセット形空気調和装置の設定温度を設定する温度設定手段、１１は温度検出手段９による検出温度と温度設定手段１０による設定温度とを比較する比較手段、１２は室内ユニット８の据付位置に応じて設定される位置設定手段、１３は比較手段１１と位置設定手段１２により風向を決定する風向決定手段、１４は風向決定手段１３から上下フラップ６の位置を制御する風向制御手段、１５は比較手段１１と位置設定手段１２により風量を決定する風量決定手段、１６は風量決定手段１５から室内送風ファン４の回転数を制御する風量制御手段、１７は比較手段１１と位置設定手段１２とにより圧縮機８の運転周波数を決定する運転周波数決定手段、１８は圧縮機周波数決定手段１７から圧縮機８の運転周波数を制御する圧縮機運転周波数制御手段である。
【００２８】
図２は、上記のように構成された天井カセット形空気調和装置の運転制御装の制御ブロック図である。図において、１９は位置設定手段１２のひとつである高さ設定スイッチ、２０はマイクロコンピュータ、２１は高さ設定スイッチ１９からの信号を入力する入力装置、２２は入力信号を演算処理する中央処理装置、２３はその演算処理された信号を出力する出力装置、２４は出力装置２３によって出力される上下フラップ位置補正値、２５は出力装置２３によって出力される室内送風ファン速補正値、２６は出力装置２３によって出力される圧縮機運転周波数補正値である。
【００２９】
次に動作を図２，３により説明する。
先ず、高さ設定スイッチ１９により室内ユニット７の据付高さを設定する。例えばａは通常天井高さ、ｂは通常天井高さより１０ｃｍ高い天井高さ、ｃは通常天井高さより２０ｃｍ高い天井高さに対応している。
【００３０】
設定された天井高さに対応して、標準天井高さに据え付けられた場合の運転を通常運転とし、この通常運転に対する上下フラップ位置補正値２４、室内送風ファン速補正値２５、圧縮機運転周波数補正値２６が決まる。補正値はあらかじめ図３の補正値表に示されるように決められている。
【００３１】
高さ設定スイッチ１９がａの場合は、通常天井高さであるため補正値は設定されない。
【００３２】
高さ設定スイッチがｂの場合、上下フラップ位置補正値Ｓ１、室内送風ファン速補正値Ｎ１、圧縮機運転周波数補正値Ｆ１が設定される。暖房運転において、通常天井高さに室内ユニット７が据え付けられた場合に比べ、上下フラップ６は下向き方向に、室内送風ファン４のファン速は高めに、圧縮機運転周波数は高めに設定される。
【００３３】
これにより室内ユニット８の据付高さが通常より１０ｃｍ高くなった場合においても暖かい風を床面まで到達させることができる。また、冷房時においても、風を床面まで到達させることができるため、設定温度を高めに設定しても快適性は損なわれず、省エネでかつ健康的な空間を創造することができる。
【００３４】
高さ設定スイッチがｃの場合、上下フラップ位置補正値Ｓ２、室内送風ファン速補正値Ｎ２、圧縮機運転周波数補正値Ｆ２が設定される。暖房運転において、高さ設定スイッチがｂの場合に比べ、上下フラップ６はさらに下向き方向に、室内送風ファン４のファン速はさらに高めに設定される。
【００３５】
これにより室内ユニット８の据付高さが通常より２０ｃｍ高くなった場合においても、暖かい風を床面まで到達させることができる。また、冷房時においても、風を床面まで到達させることができるため、設定温度を高めに設定しても快適性は損なわれず、省エネでかつ健康的な空間を創造することができる。
【００３６】
実施の形態２．
図４，５は実施の形態２を示す図で、図４は制御ブロック図、図５は補正値を示す図である。
図４において、２７は位置設定手段１２のひとつである位置設定スイッチである。その他は図２と同じであり、説明は省略する。
【００３７】
次に動作を図４，５により説明する。
先ず、位置設定スイッチ２７により室内ユニット７の水平方向の据付位置を設定する。例えばｄは通常設置位置に対応し、ｅは部屋形状が吹出し方向に対して長い場合に対応している。設定された据付位置に対応して、通常設置位置に据付られた場合の運転を通常運転とし、この通常運転に対する上下フラップ位置補正値２４、室内送風ファン速２５が決まる。補正値はあらかじめ図５に示されるように決められている。
【００３８】
位置設定スイッチ２７がｄの場合は通常設定位置であるため補正値は設定されない。
【００３９】
位置設定位置がｅの場合、上下フラップ位置補正値Ｓ３、室内送風ファン速補正値Ｎ３が設定される。暖房運転において、通常設定位置に室内ユニット７が据え付けられた場合に比べ、上下フラップ６は上向き方向に、室内送風ファン４のファン速は高めに設定となる。これにより室内ユニット８の据付けられている形状が吹出口方向に対して長い場合においても暖かい風を部屋の隅々の床面まで到達させることができる。
【００４０】
また、冷房時には最適位置に風を到達させることができるため、設定温度を高めに設定しても快適性はそこなわれず、省エネでかつ健康的な空間を創造することができる。
【００４１】
【発明の効果】
この発明に係る天井カセット形空気調和装置の運転制御装置は、室内ユニットの天井高さに相当する据付高さに応じて位置設定手段を設定し、この位置設定手段の設定に基づいて風向偏向手段を制御する制御手段を備えたので、室内ユニットが通常天井より高い天井に据え付けられた場合においても、暖房時の温風の舞い上がりを押さえることができ、足元まで暖かい快適な空間を提供することができる。
【００４２】
また、制御手段は、位置設定手段の設定に基づいて室内送風機の風向に加えて風量も制御するので、風向偏向手段位置のみを制御する場合に比べ、暖房時の温風の舞い上がりに対して一層の効果が有り、足元まで暖かい快適な空間を提供することができる。
【００４３】
また、室内ユニットの天井高さに相当する据付高さに応じて位置設定手段を設定し、この位置設定手段の設定に基づいて圧縮機の運転周波数範囲を制御する制御手段を備えたので、室内ユニットが通常天井より高い天井に据付けられた場合、暖房時の温風の舞い上がりを押さえることができ、足元まで快適な空間を提供することができる。
【００４４】
また、位置設定手段は、室内ユニットの天井高さに相当する複数段階の据付高さに応じて設定することが可能なので、天井高さが多様化している現在の住宅に対応でき、快適な空間を提供することができる。
【００４５】
また、室内ユニットの天井における水平方向の据付位置もしくは部屋形状に応じて位置設定手段を設定し、この位置設定手段の設定に基づいて風向偏向手段を制御する制御手段を備えたので、暖房時に温風を最適位置に到達させることができる。
【００４６】
また、室内ユニットが据付られる部屋形状が吹き出し方向に対して長い場合、制御手段は暖房運転時に、風向偏向手段を通常よりも上向きに設定するので、、室内ユニットが吹出し方向に対して長い空間に据付けられた場合でも、暖房時には温風を最適位置に到達させることができる。
【００４７】
また、室内ユニットの天井における水平方向の据付位置もしくは部屋形状に応じて位置設定手段を設定し、この位置設定手段の設定に基づいて室内送風機の風量を制御する制御手段を備えたので、暖房時に温風を最適位置に到達させることができる。
【００４８】
また、室内ユニットが据付られる部屋形状が吹き出し方向に対して長い場合、制御手段は暖房運転時に、室内送風機の風量を増加するように設定するので、暖房時には温風を最適位置に到達させることができる。
【００４９】
また、位置設定手段は、室内ユニットの天井における水平方向の複数段階の据付位置もしくは複数段階の部屋形状に応じて設定することが可能なので、部屋形状が多様化している現在の住宅に対応でき、快適な空間を提供することができる。
【図面の簡単な説明】
【図１】  実施の形態１を示す図で、天井カセット形空気調和装置の運転制御装置の構成を示すブロック図である。
【図２】  実施の形態１を示す図で、制御ブロック図である。
【図３】  実施の形態１を示す図で、補正値を示す図である。
【図４】  実施の形態２を示す図で、制御ブロック図である。
【図５】  実施の形態２を示す図で、補正値を示す図である。
【図６】  従来の天井カセット形空気調和装置を示す断面図である。
【符号の説明】
１  ケーシング、２  吸込口、３  熱交換器、４  室内送風ファン、５  吹出口、６  上下フラップ、７  室内ユニット、８  圧縮機、９  温度検出手段、１０  温度検出手段、１１  比較手段、１２  位置設定手段、１３  風向決定手段、１４  風向制御手段、１５  風量決定手段、１６  風量制御手段、１７  圧縮機運転周波数決定手段、１８  圧縮機運転周波数制御手段、１９  高さ設定スイッチ、２０  マイクロコンピュータ、２１  入力装置、２２  中央処理装置、２３  出力装置、２４  上下フラップ位置補正値、２５  室内送風ファン速補正値、２６  圧縮機運転周波数補正値、２７  位置設定スイッチ。
【図１】
0004169861.tif 000002
【図２】
0004169861.tif 000003
【図３】
0004169861.tif 000004
【図４】
0004169861.tif 000005
【図５】
0004169861.tif 000006
【図６】
0004169861.tif 000007